(57)【特許請求の範囲】
【請求項１】
センサ（１）用の膜保護体（３）であって、該センサが取付け部（１０）の穴（９）内にねじ着けられ、かつ前部区域（８）に膜（２）を備えている形式のものにおいて、
膜保護体（３）にたわみ可能に形成された個別の鈎状部（７）から成り、センサ（１）の前部区域（８）の内側の溝（６）に、取付けられた状態において回転可能で、取り外し可能に取付けるためのクリップ・システム（７）を含むことを特徴とする、センサ用の膜保護体。
【請求項２】
組付けられた状態で、膜保護体が、センサ（１）と取付け部（１０）との間に密封係止されることを特徴とする、前部シール型センサ（１）用の、請求項１に記載された膜保護体。
【請求項３】
測定される情報を通過させるための、大きい面積の中心穴（５）を特徴とする、請求項１又は請求項２に記載された膜保護体。
【請求項４】
測定される情報を通過させるための複数の穴（５）を特徴とする、請求項１又は請求項２に記載された膜保護体。
【請求項５】
前記膜保護体が、最高５００°Ｃの温度に耐えられる材料製であることを特徴とする、請求項１から請求項４までのいずれか１項に記載された膜保護体。
【請求項６】
前記膜保護体が、表面コーティングを有することを特徴とする、請求項１から請求項５までのいずれか１項に記載された膜保護体。
【請求項７】
取付け部（１０）の穴（９）内へねじ着けられるセンサ（１）であって、該センサが、膜保護体（３）を含む前部区域（８）内に膜（２）を備えている形式のものにおいて、
膜保護体（３）が、膜保護体（３）にたわみ可能に形成された個別の鈎状部（７）から成るクリップ・システム（７）を含み、センサ（１）が前部区域（８）の内側に溝（６）を有し、膜保護体（３）が、クリップ・システム（７）によって前部区域（８）の内側の溝（６）に、取付けられた状態において回転可能で、取り外し可能に取付けられることを特徴とする、取付け部（１０）の穴（９）内へねじ着けられるセンサ。
【請求項８】
前記膜保護体（３）の直径が、センサ（１）の前部区域（８）の直径を超えないことを特徴とする、請求項７に記載されたセンサ。
【請求項９】
組付けられた状態で、膜保護体が、センサ（１）と取付け部（１０）との間に密封係止されることを特徴とする、請求項７から請求項８までのいずれか１項に記載されたセンサ。
【請求項１０】
前記膜保護体（３）が、請求項３から請求項５までのいずれか１項に記載された膜保護体であることを特徴とする、請求項７から請求項９までのいずれか１項に記載されたセンサ。
【発明の詳細な説明】
【技術分野】
【０００１】
本発明は、独立請求項の前文に記載の、取付け部の穴へねじ着け可能なセンサのための膜保護体、並びに膜保護体を含むセンサに関するものである。
【背景技術】
【０００２】
多くのセンサは、情報を感知する膜を備えているが、この膜は使用される環境内で損傷されやすい。例えば、その種の損傷は、機械的な接触、又は内燃機関の火炎によって生じることがある。センサの組付け及び／又は取外し時に、既に膜が損傷することがある。前部シール型圧力センサは、膜が取付け部のストッパのところに挟み着けられる。この挟着により膜に対し強い機械応力が加わることがある。こうしたことのために、膜を保護するための膜保護体が用いられる。
【０００３】
公知の膜保護体は金属製の格子から成り、この格子がセンサ先端の雄ねじにねじ付けられる。しかし、これにより、センサ先端が拡径され、多くの場合、これが好ましくない。別の不都合な点は、センサに除去時に、膜保護体が、意図せずして外れて、取付け部内に残される点である。
別の公知の解決策は平らな格子から成り、この格子が取付け穴内へ挿入され、その後でセンサが組付けられる。しかし、この構成の不都合な点は、センサを取外さなければ、膜保護体を取出せないため、大変手間がかかる点である。
【発明の開示】
【発明が解決しようとする課題】
【０００４】
本発明の目的は、冒頭に述べた膜センサのための、センサ外径が拡径されることのない、またセンサ取付け穴から容易に取出し可能な膜保護体を開示することである。他の目的は、前記膜保護体を備えたセンサを開示することである。
【課題を解決するための手段】
【０００５】
前記目的は、特許請求の範囲独立請求項の特徴部分に記載の構成により解決された。
本発明は、膜保護体をセンサの前部区域の内側にクリップ・システムで取付けて、センサと１つのユニットを構成するようにする着想に基づくものである。他の好適実施例は従属請求項に記載されている。
以下で、本発明を図面につき更に詳しく説明する。
【０００６】
図１には、膜２を有するセンサ１の前部区域８と、開口５を有する膜保護体３とが斜視図で略示されている。この場合、膜保護体は雄ねじ４にねじ着けられる。膜保護体３は、損傷した場合には、注意深く交換すればよく、膜３が損傷されることはない。
【実施例】
【０００７】
（実施例１）
また、図２には、センサ１の前部区域８が示され、前部区域８内には膜２が配置されている。前部区域８は、内側に本発明による溝６を有し、この溝内へクリップ・システム７が係合可能である。このクリップ・システム７は、本発明による適切な膜保護体３に設けられている。例えば、該クリップ・システムは個別の鈎状部から成り、これらの鈎状部が膜保護体３にたわみ可能に形成されている。センサへの取付け時には、前記鉤状部は、センサの溝６内へ内側から係止される。本発明による膜保護体３を有するセンサ１は、取付け部１０の穴９内へ容易に取付け可能であり、膜保護体３の外径によりセンサ１の外径が拡径されることがない。
図２に示した膜保護体３は、中心穴５を有し、この穴を介して媒質が通過できる。この媒質は、測定される情報の担体であり、可聴波、圧力、温度、その他の変数等の物理変数を伝搬する。
【０００８】
（実施例２）
図３には、本発明による膜保護体３の別の実施例が示されている。最初に示した膜保護体３と異なり、この実施例は、複数の穴５を有しており、これらの穴を介して情報を有する媒質が通過できる。用途に応じて、この実施例は、例えば火炎抑制部材として、優れた保護性能を発揮する。
好都合なことに、この膜保護体３は、耐火性材料で作られるので、例えば燃焼室内で使用されるセンサとして好適である。耐熱性は最大５００°Ｃであるのが好ましい。これらの要求には、種々の公知の金属又は合金が対応できる。
【０００９】
膜保護体３の表面コーティングは、例えば燃焼室内での使用時に生じる煤での汚れを大幅に低減する利点を有している。このことは、図３に示す膜保護体３が複数穴５を有する場合、一層妥当する。
本発明による膜保護体３の取付け及び取外しは、センサ１の前部区域８で工具を使用することなく容易に行うことができ、かつ膜２を損傷することもない。前記実施例は、好都合な寸法を有している。すなわち、膜保護体３の直径はセンサ１の前部区域８の直径を超えていない。したがって、この膜保護体３を有するセンサ１は、適当な穴へ挿入でき、しかも、センサ１を取除くときには、膜保護体３は、センサ１と一緒に自動的に取除かれる。
膜保護体３は、回転式にセンサ１の前部区域８に取付け可能であるのが好ましい。こうすることで、組付け時、センサ１にねじ着けられるさいに膜２に加わる荷重が軽減される。
【００１０】
（実施例３及び４）
図４及び図５には、本発明によるセンサ１が、組付けられた状態で示されている。図４は、前部シール型センサ１、例えば圧力センサを示している。取付け部１０の穴９内に雄ねじ４がねじ着けられ、センサ前面が、その目的にために設計されたストッパ１１に当接されている。ねじ込まれるさい、ストッパ１１に対しシール効果が得られるように、センサ１の前面は十分に平らでなければならない。本発明により、膜保護体３は、センサ１とストッパ１１との間に配置されるので、膜保護体３は、両面を、すなわちセンサ１とストッパ１１双方を密封しなければならない。膜保護体３は、センサ１が反復的にねじ着け、ねじ外しされる場合、センサの前部の損傷を防止する。
【００１１】
図５には、本発明による肩シール型センサ１が、組付けられた状態で示されている。この実施例では、ストッパ１１が、センサ１の前部に設けられておらず、より内方に、例えば雄ねじ４の区域に設けられている。この場合、膜保護体３は、穴９の端部と同一平面をなしている。クリップ・システム７により、膜保護体は、センサと結合されており、従来技術による非固定的膜保護体の場合のように、穴から脱落するようなことはない。したがって、本発明による膜保護体３は、より多目的に使用可能である。
【００１２】
図５の実施例では、複数開口５を有する膜保護体３が示されている。言うまでもなく、以上説明した本発明による複数実施例は、任意に組合わせ及び／又は変更が可能である。したがって、図４の前部シール・センサは、図３の複数穴５を有する膜保護体３と組合わせてもよく、また図５の肩シール・センサ１を、図２の中心穴５を有する膜保護体３と組合わせてもよい。更に、本発明によるどのセンサ１も、原則として膜保護体３を取付けても取付けなくとも使用できる。
膜保護体３の表面コーティングの別の利点は、膜保護体３に隣接する部材、特に膜２及び取付け部１０に対する摩擦が低減されることにより、滑り特性が改善されることにある。それにより膜保護体３の回動性が高まり、取付け部１０に対する挿入及び取外し時の固着が防止される。
【図面の簡単な説明】
【００１３】
【図１】センサと従来技術による膜保護体との略示斜視図。
【図２】本発明によるセンサと本発明による膜保護体との略示斜視図。（実施例１）
【図３】本発明による別の膜保護体の略示斜視図。（実施例２）
【図４】膜保護体を組み付けた状態での本発明によるセンサの断面図。（実施例３）
【図５】膜保護体を組み付けた状態での本発明の別のセンサの断面図。（実施例４）
【符号の説明】
【００１４】
１  センサ
２  膜
３  膜保護体
４  雄ねじ
５  開口
６  溝
７  クリップ・システム、鉤状部
８  センサの前部区域
９  穴
１０  取付け部
１１  ストッパ（シール）
【図１】
0005629462.tif 000002
【図２】
0005629462.tif 000003
【図３】
0005629462.tif 000004
【図４】
0005629462.tif 000005
【図５】
0005629462.tif 000006